(57)【要約】【課題】シリンダ錠の内部の部品の摩耗量を把握することは困難な場合が多い。【解決手段】遊技機は、枠に開閉可能に支持される遊技機本体と、枠に対する遊技機本体の施錠を行うシリンダ錠とを備える。シリンダ錠は、外筒と、外筒内に外筒の軸線を中心に回転可能に配置され、鍵が挿入される鍵穴が形成された内筒と、鍵が鍵穴に挿入されるときに鍵と接触可能な位置まで鍵穴の内壁から突出し、鍵との接触による摩耗量によって、シリンダ錠の使用頻度を示す突出部とを有する。【選択図】図１３
2014212888.tif 000002
【特許請求の範囲】
【請求項１】
枠に開閉可能に支持される遊技機本体と、
前記枠に対する前記遊技機本体の施錠を行うシリンダ錠と
を備え、
前記シリンダ錠は、
外筒と、
前記外筒内に前記外筒の軸線を中心に回転可能に配置され、鍵が挿入される鍵穴が形成された内筒と、
前記鍵が前記鍵穴に挿入されるときに前記鍵と接触可能な位置まで前記鍵穴の内壁から突出し、前記鍵との接触による摩耗量によって、前記シリンダ錠の使用頻度を示す突出部と
を有する、遊技機。
【請求項２】
前記鍵は、前記鍵穴に挿入される挿入部を有し、
前記突出部は、前記鍵の前記挿入部の最大断面の形状に沿った断面形状を有する前記鍵穴の前記内壁から突出している、請求項１に記載の遊技機。
【請求項３】
前記挿入部は、前記鍵のキーコードを規定する凹部が形成されていない面を含み、
前記突出部は、前記鍵が挿入されるときに前記面に接触する、請求項２に記載の遊技機。
【請求項４】
前記突出部は、前記軸線に沿って前記鍵穴の前記内壁上に形成されている、請求項１から請求項３のいずれか１つに記載の遊技機。
【請求項５】
前記遊技機本体に対して開閉可能に支持されるカバーをさらに備え、
前記シリンダ錠は、前記遊技機本体に対する前記カバーの施錠をさらに行う、請求項１から請求項４のいずれか１つに記載の遊技機。
【発明の詳細な説明】
【技術分野】
【０００１】
本発明は、遊技機に関する。
【背景技術】
【０００２】
特許文献１には、キーコードを変更することが可能なシリンダ錠が開示されている。
特許文献１  特開２００７−７７６４８号公報
【発明の概要】
【発明が解決しようとする課題】
【０００３】
シリンダ錠は、使用を繰り返すことで、内部の部品が摩耗する可能性がある。しかしながら、シリンダ錠の内部の部品の摩耗量を把握することは困難な場合が多い。
【課題を解決するための手段】
【０００４】
本発明の一態様に係る遊技機は、枠に開閉可能に支持される遊技機本体と、枠に対する遊技機本体の施錠を行うシリンダ錠とを備え、シリンダ錠は、外筒と、外筒内に外筒の軸線を中心に回転可能に配置され、鍵が挿入される鍵穴が形成された内筒と、鍵が鍵穴に挿入されるときに鍵と接触可能な位置まで鍵穴の内壁から突出し、鍵との接触による摩耗量によって、シリンダ錠の使用頻度を示す突出部とを有する。
【０００５】
上記遊技機において、鍵は、鍵穴に挿入される挿入部を有し、突出部は、鍵の挿入部の最大断面の形状に沿った断面形状を有する鍵穴の内壁から突出していてもよい。
【０００６】
上記遊技機において、挿入部は、鍵のキーコードを規定する凹部が形成されていない面を含み、突出部は、鍵が挿入されるときに面に接触してもよい。
【０００７】
上記遊技機において、突出部は、軸線に沿って鍵穴の内壁上に形成されていてもよい。
【０００８】
上記遊技機において、遊技機本体に対して開閉可能に支持されるカバーをさらに備え、シリンダ錠は、遊技機本体に対するカバーの施錠をさらに行ってもよい。
【０００９】
なお、上記の発明の概要は、本発明の必要な特徴の全てを列挙したものではない。また、これらの特徴群のサブコンビネーションもまた、発明となりうる。
【図面の簡単な説明】
【００１０】
【図１】本実施形態に係る遊技機の外観斜視図の一例を示す図である。
【図２】鍵をシリンダ錠に対して反時計回りに回した場合の遊技機の正面側の様子を示す図である。
【図３】鍵をシリンダ錠に対して時計回りに回した場合の遊技機の正面側の様子を示す図である。
【図４】鍵をシリンダ錠に対して時計回りに回した場合の遊技機の背面側の様子を示す図である。
【図５】施錠ユニットの背面側から見た分解斜視図の一例を示す図である。
【図６】施錠ユニットの正面側から見た分解斜視図の一例を示す図である。
【図７】施錠状態にある施錠ユニットの背面側から見た断面図の一例を示す図である。
【図８】施錠状態にある施錠ユニットの側面側から見た断面図の一例を示す図である。
【図９】シリンダ錠が第１の開錠状態にある場合の施錠ユニットの背面側から見た断面図の一例を示す図である。
【図１０】シリンダ錠が第１の開錠状態にある場合の施錠ユニットの側面側から見た断面図の一例を示す図である。
【図１１】シリンダ錠が第２の開錠状態にある場合の施錠ユニットの背面側から見た断面図の一例を示す図である。
【図１２】シリンダ錠が第２の開錠状態にある場合の施錠ユニットの側面側から見た断面図の一例を示す図である。
【図１３】シリンダ錠および鍵の正面側から見た外観斜視図の一例を示す図である。
【図１４】内筒の外観斜視図の一例を示す図である。
【図１５】シリンダ錠を備える他の実施形態に係る遊技機の外観斜視図の一例を示す図である。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１は、本実施形態に係る遊技機１００の外観斜視図の一例を示す。遊技機１００は、枠１０２、遊技機本体１０４、カバー１０６、およびシリンダ錠１０を備える。
【００１３】
枠１０２は、矩形の枠体であり、遊技機１００は、枠１０２を介して遊技場の島設備に固定される。枠１０２は、例えば、４枚の木製の板材を組み合わせることで、矩形状を形成してもよい。遊技機本体１０４は、枠１０２の幅方向の一辺にヒンジを介して固定されることで、枠１０２に開閉可能に支持される。なお、枠１０２は、遊技機本体１０４を収容する箱状の枠体でもよい。
【００１４】
遊技機本体１０４は、遊技盤および遊技機１００の遊技処理を制御する制御回路を備える。カバー１０６は、遊技盤を視認可能に覆う。カバー１０６は、ガラス、透明性を有する樹脂などにより構成されてもよい。カバー１０６は、遊技機本体１０４の幅方向の一辺にヒンジを介して固定されることで、遊技機本体１０４に対して開閉可能に支持される。なお、遊技機本体１０４が開閉可能に支持される枠１０２の一辺と、カバー１０６が開閉可能に支持される遊技機本体１０４の一辺とは同一方向の一辺である。
【００１５】
シリンダ錠１０は、遊技機本体１０４に設けられ、枠１０２に対する遊技機本体１０４の施錠を行う。シリンダ錠１０は、遊技機本体１０４に対するカバー１０６の施錠をさらに行う。シリンダ錠１０は、鍵穴を有し、鍵穴に鍵５０が挿入される。例えば、鍵５０がシリンダ錠１０に対して時計回りに回転されることで、シリンダ錠１０は、枠１０２に対する遊技機本体１０４の施錠状態を開錠状態にする。また、鍵５０がシリンダ錠１０に対して反時計回りに回転されることで、シリンダ錠１０は、遊技機本体１０４に対するカバー１０６の施錠状態を開錠状態にする。シリンダ錠１０は、キーコードを変更可能なシリンダ錠でもよい。
【００１６】
図２は、鍵５０をシリンダ錠１０に対して反時計回りに回した場合の遊技機１００の正面側の様子を示す。鍵５０をシリンダ錠１０に対して反時計回りに回転させることにより、遊技機本体１０４が枠１０２に対して施錠された状態で、カバー１０６が、遊技機本体１０４に対して開錠状態となる。これにより、ユーザは、遊技機本体１０４の前面に設けられた遊技盤などに対する保守作業などを行うことができる。
【００１７】
図３は、鍵５０をシリンダ錠１０に対して時計回りに回した場合の遊技機１００の正面側の様子を示す。鍵５０をシリンダ錠１０に対して時計回りに回転させることにより、カバー１０６が遊技機本体１０４に対して施錠された状態で、遊技機本体１０４が、枠１０２に対して開錠状態になる。これにより、ユーザは、遊技機本体１０４の裏面に設けられた制御ユニット、遊技球経路などに対する保守作業などを行うことができる。なお、枠１０２に設けられた本体鉤受けユニット２３０ａおよび２３０ｂは、遊技機本体１０４を枠１０２に施錠するための部材である。
【００１８】
図４は、鍵５０をシリンダ錠１０に対して時計回りに回した場合の遊技機１００の背面側の様子を示す。遊技機本体１０４の裏面の開放側の一辺には、施錠ユニット２００が固定されている。施錠ユニット２００が、シリンダ錠１０と協働して、枠１０２に対する遊技機本体１０４の施錠状態と開錠状態との切り替え、および遊技機本体１０４に対するカバー１０６の施錠状態と開錠状態との切り替えを行う。
【００１９】
図５は、施錠ユニット２００の背面側から見た分解斜視図の一例を示す。施錠ユニット２００は、取付フレーム２０２、鉤連結板２０４、可動プレート２０７、可動プレート２０９、バネ２０８、およびバネ２１０を備える。
【００２０】
シリンダ錠１０は、取付フレーム２０２に固定される。シリンダ錠１０は、外筒２０および内筒３０を備える。内筒３０の背面の出力軸には、カム板１２が取り付けられる。
【００２１】
取付フレーム２０２は、遊技機本体１０４に固定される。取付フレーム２０２は、取付フレーム２０２の長手方向に沿って移動可能に鉤連結板２０４を支持する。鉤連結板２０４は、長手方向の一端側にカバー鉤２０５ａおよび本体鉤２０６ａを有する。鉤連結板２０４は、長手方向の他端側にカバー鉤２０５ｂおよび本体鉤２０６ｂをさらに有する。
【００２２】
可動プレート２０７は、段付きビスによって取付フレーム２０２の長手方向に移動可能に取り付けられる。バネ２０８は、一端が可動プレート２０７に取り付けられ、他端が取付フレーム２０２に取り付けられる。鉤連結板２０４が、取付フレーム２０２の長手方向の上方に移動した場合、可動プレート２０７は、鉤連結板２０４に設けられた復元力伝達凸部２１１に押されて取付フレーム２０２の長手方向の上方に移動する。この状態では、バネ２０８が伸びた状態にある。したがって、鉤連結板２０４に対する上方への力がなくなった段階で、バネ２０８の復元力により、可動プレート２０７は、取付フレーム２０２の長手方向の下方に移動し、元の位置に戻る。
【００２３】
可動プレート２０９は、段付きビスによって取付フレーム２０２の長手方向に移動可能に取り付けられる。バネ２１０は、一端が可動プレート２０９に取り付けられ、他端が取付フレーム２０２に取り付けられる。鉤連結板２０４が、取付フレーム２０２の長手方向の下方に移動した場合、可動プレート２０９は、鉤連結板２０４に設けられた復元力伝達凸部２１１に押されて取付フレーム２０２の長手方向の下方に移動する。この状態では、バネ２１０が伸びた状態にある。したがって、鉤連結板２０４に対する下方への力がなくなった段階で、バネ２１０の復元力により、可動プレート２０９は、取付フレーム２０２の長手方向の上方に移動し、元の位置に戻る。
【００２４】
図６は、施錠ユニット２００の正面側から見た分解斜視図の一例を示す。鉤連結板２０４は、カム板１２の凸部１２ａおよび凸部１２ｂに対応する位置に、カム孔２１２ａおよびカム孔２１２ｂを有する。シリンダ錠１０が施錠状態にある場合、カム板１２の凸部１２ａおよび凸部１２ｂは、カム孔２１２ａおよびカム孔２１２ｂに挿入された状態にある。
【００２５】
図７は、施錠状態にある施錠ユニット２００の背面側から見た断面図の一例を示す。上記の通り、シリンダ錠１０が施錠状態にある場合、カム板１２の凸部１２ａおよび凸部１２ｂは、鉤連結板２０４に設けられたカム孔２１２ａおよびカム孔２１２ｂに挿入された状態にある。
【００２６】
図８は、施錠状態にある施錠ユニット２００の側面側から見た断面図の一例を示す。シリンダ錠１０が施錠状態にある場合、鉤連結板２０４に設けられたカバー鉤２０５ａおよびカバー鉤２０５ｂは、カバー１０６に固定されているカバー鉤受けユニット２２０に係合している。よって、シリンダ錠１０が施錠状態にある場合には、カバー１０６は、遊技機本体１０４に対して施錠状態にある。また、鉤連結板２０４に設けられた本体鉤２０６ａおよび本体鉤２０６ｂは、枠１０２に固定されている本体鉤受けユニット２３０ａおよび本体鉤受けユニット２３０ｂに係合している。よって、シリンダ錠１０が施錠状態にある場合には、遊技機本体１０４は、枠１０２に対して施錠状態にある。
【００２７】
図９は、鍵５０が反時計回りに回されて、シリンダ錠１０が第１の開錠状態にある場合の施錠ユニット２００の背面側から見た断面図の一例を示す。鍵５０が反時計回りに回されると、カム板１２が回転し、カム板１２の一方の凸部１２ａがカム孔２１２ａに係合した状態で、カム板１２の他方の凸部１２ｂとカム孔２１２ｂとの係合が解除される。カム板１２の回転に伴いカム板１２の凸部１２ａが下方に移動することにより、鉤連結板２０４が、取付フレーム２０２の長手方向に沿って下方に移動する。
【００２８】
図１０は、鍵５０が反時計回りに回されて、シリンダ錠１０が第１の開錠状態にある場合の施錠ユニット２００の側面側から見た断面図の一例を示す。
【００２９】
上記の通り、鍵５０が反時計回りに回されると、カム板１２の回転に伴い、鉤連結板２０４が、取付フレーム２０２の長手方向に沿って下方に移動する。鉤連結板２０４が下方に移動することによって、カバー鉤２０５ａおよびカバー鉤２０５ｂとカバー鉤受けユニット２２０との間の係合が解除される。一方、本体鉤２０６ａおよび本体鉤２０６ｂと本体鉤受けユニット２３０ａおよび本体鉤受けユニット２３０ｂとの間の係合は維持される。よって、遊技機本体１０４が枠１０２に対して施錠された状態で、カバー１０６は、遊技機本体１０４に対して開錠された状態になる。
【００３０】
図１１は、鍵５０が時計回りに回されて、シリンダ錠１０が第２の開錠状態にある場合の施錠ユニット２００の背面側から見た断面図の一例を示す。鍵５０が時計回りに回されると、カム板１２が回転し、カム板１２の他方の凸部１２ｂがカム孔２１２ｂに係合した状態で、カム板１２の一方の凸部１２ａとカム孔２１２ａとの係合が解除される。カム板１２の回転に伴いカム板１２の凸部１２ｂが上方に移動することにより、鉤連結板２０４が、取付フレーム２０２の長手方向に沿って上方に移動する。
【００３１】
図１２は、鍵５０が時計回りに回されて、シリンダ錠１０が第２の開錠状態にある場合の施錠ユニット２００の側面側から見た断面図の一例を示す。
【００３２】
上記の通り、鍵５０が時計回りに回されると、カム板１２の回転に伴い、鉤連結板２０４が、取付フレーム２０２の長手方向に沿って上方に移動する。鉤連結板２０４が上方に移動することによって、本体鉤２０６ａおよび本体鉤２０６ｂと本体鉤受けユニット２３０ａおよび本体鉤受けユニット２３０ｂとの間の係合が解除される。一方、カバー鉤２０５ａおよびカバー鉤２０５ｂとカバー鉤受けユニット２２０との間の係合は維持される。よって、カバー１０６が遊技機本体１０４に対して施錠された状態で、遊技機本体１０４は、枠１０２に対して開錠された状態になる。
【００３３】
以上の通り、遊技機１００が備えるシリンダ錠１０により、枠１０２に対する遊技機本体１０４の施錠、および遊技機本体１０４に対するカバー１０６に対する施錠が行われる。
【００３４】
ところで、上記のような遊技機１００などに設けられるシリンダ錠１０は、使用に伴い内部の部品が摩耗することがある。しかし、内部の部品の摩耗量は、シリンダ錠１０の外観からは確認することが困難である。
【００３５】
シリンダ錠１０は、セキュリティを確保するために、鍵５０のキーコードを変更可能なタイプも多く用いられる。このようなシリンダ錠１０の場合、鍵５０のキーコードを変更して、シリンダ錠１０を再利用することもある。上記の通り、シリンダ錠１０の外観から内部の部品の摩耗量を確認することが困難なので、シリンダ錠１０を再利用可能かどうかを、シリンダ錠１０の外観から判断することは困難である。
【００３６】
そこで、本実施形態に係るシリンダ錠１０は、内部の部品の摩耗量をシリンダ錠１０の外観を目視することで判断可能な機能を提供する。
【００３７】
図１３は、本実施形態に係るシリンダ錠１０および鍵５０の正面側から見た外観斜視図の一例を示す。
【００３８】
シリンダ錠１０は、外筒２０および内筒３０を備える。内筒３０は、外筒２０内に外筒２０の軸線を中心に回転可能に配置され、鍵５０の挿入部５４が挿入される鍵穴３２が形成されている。内筒３０は、鍵穴３２に挿入された鍵５０が時計回りまたは反時計回りに回転することに対応して、外筒２０の軸線を中心に時計回りまたは反時計回りに回転する。
【００３９】
鍵５０は、把手部５２および挿入部５４を備える。挿入部５４は、鍵５０のキーコードを規定する凹部が形成された２つの面５４ａ、および鍵５０のキーコードを規定する凹部が形成されていない２つの面５４ｂを有する。
【００４０】
シリンダ錠１０は、鍵５０の挿入部５４が鍵穴３２に挿入されるとき、または鍵５０の挿入部５４が鍵穴３２から抜き出されるときに鍵５０と接触可能な位置まで鍵穴３２の内壁から突出する突出部３４をさらに備える。突出部３４は、鍵５０との接触による摩耗量によって、シリンダ錠１０の使用頻度を示す。突出部３４は、シリンダ錠１０の使用頻度を判断するための指標として機能する。突出部３４は、外筒２０の軸線に沿って鍵穴３２の内壁上に長尺状に形成されてもよい。
【００４１】
突出部３４は、鍵５０の挿入部５４の最大断面の形状に沿った断面形状を有する鍵穴３２の内壁から突出している。突出部３４は、鍵５０が鍵穴３２に挿入されるとき、または鍵５０が鍵穴３２から抜き出されるときに２つの面５４ｂのいずれか一方に接触する。鍵５０の挿入部５４が鍵穴３２に挿入された場合、突出部３４が、挿入部５４の一方の面５４ｂと接触することにより摩耗する。突出部３４の摩耗量は、シリンダ錠１０の使用回数の増加に伴い増加する。そこで、突出部３４の摩耗量を確認することで、ユーザは、シリンダ錠１０の使用回数を推定できる。ユーザは、突出部３４が擦り減っていた場合には、シリンダ錠１０の内部の部品が摩耗している可能性があるので、シリンダ錠１０を交換すべきことを把握できる。
【００４２】
なお、突出部３４は、鍵５０が鍵穴３２に挿入されるとき、または鍵５０が鍵穴３２から抜き出されるときに接触する位置に設けられていればよく、突出部３４が形成される位置および形状は、上記の位置および形状には限定されない。突出部３４は、鍵５０の挿入部５４が鍵穴３２に挿入されるとき、または鍵５０の挿入部５４が鍵穴３２から抜き出されるときに、鍵５０のキーコードを規定する凹部が形成されているいずか一方の面５４ａと接触可能な位置まで突出していてもよい。
【００４３】
図１４は、内筒３０の外観斜視図の一例を示す。突出部３４は、内筒３０と同一材料により構成されてもよい。内筒３０および突出部３４は、鋳造により一体的に形成されてもよい。内筒３０および突出部３４は、異なる材料により構成されてもよい。突出部３４は、鍵穴３２の内壁に接着剤により接着されることで構成されてもよい。
【００４４】
突出部３４は、鍵穴３２の内壁から突起した突起部分の表面に樹脂等の他の素材を塗布して、多層構造で構成してもよい。これにより、摩耗により突出部３４の上層部分が擦り減り内層が露出された時点で、ユーザは、シリンダ錠１０を交換すべきことを把握できる。
【００４５】
なお、上記では、遊技機１００としてパチンコ台を例に説明した。しかしながら、シリンダ錠１０は、例えば、図１５に示すようなパチスロ台４００などの他の遊技機に設けられてもよい。パチスロ台４００は、外枠、外枠に収容される遊技機本体、および遊技機本体を覆うカバーを備える。シリンダ錠１０は、外枠に対する遊技機本体の施錠、および遊技機本体に対するカバーの施錠を行う。
【００４６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４８】
１０  シリンダ錠
２０  外筒
３０  内筒
３２  鍵穴
３４  突出部
５０  鍵
５２  把手部
５４  挿入部
１００  遊技機
１０２  枠
１０４  遊技機本体
１０６  カバー
２００  施錠ユニット
【図１】
2014212888.tif 000003
【図２】
2014212888.tif 000004
【図３】
2014212888.tif 000005
【図４】
2014212888.tif 000006
【図５】
2014212888.tif 000007
【図６】
2014212888.tif 000008
【図７】
2014212888.tif 000009
【図８】
2014212888.tif 000010
【図９】
2014212888.tif 000011
【図１０】
2014212888.tif 000012
【図１１】
2014212888.tif 000013
【図１２】
2014212888.tif 000014
【図１３】
2014212888.tif 000015
【図１４】
2014212888.tif 000016
【図１５】
2014212888.tif 000017